(57)【要約】【課題】車速に刈取部の駆動速度を連動させる車速連動制御を行うコンバインにおいて、圃場進入時の刈取作業効率をオペレータの操作を煩雑化させること無く、良好に維持できるコンバインを提供することを目的とする。【解決手段】本発明は、穀稈の刈取作業を行う刈取部４への動力を変速する変速装置４６と、車速を検出する車速検出手段と、車速検出手段により検出された車速に刈取部４の駆動速度を連動させる車速連動制御を行う制御部５８と、切換操作具６２とを備え、制御部５８が、切換操作具６２の操作に基づいて、前記車速連動制御と、車速に関係無く刈取部４を一定速で駆動させる掻込制御との切換を行うとともに、掻込制御時の刈取部４の駆動速度である掻込速度を所定条件に基づいて変更するコンバインにおいて、車体の前傾姿勢を検出する前傾検出手段６１を設け、制御部５８が、掻込制御時に前傾検出手段６１を介して車体の前傾姿勢が検出された場合には、圃場への車体進入時における刈取作業であると判断し、上記掻込速度を自動的に低下させる。【選択図】図７
2010233487.tif 000002
【特許請求の範囲】
【請求項１】
穀稈の刈取作業を行う刈取部（４）への動力を変速する変速装置（４６）と、車速を検出する車速検出手段と、車速検出手段により検出された車速に刈取部（４）の駆動速度を連動させる車速連動制御を行う制御部（５８）と、切換操作具（６２）とを備え、制御部（５８）が、切換操作具（６２）の操作に基づいて、前記車速連動制御と、車速に関係無く刈取部（４）を一定速で駆動させる掻込制御との切換を行うとともに、掻込制御時の刈取部（４）の駆動速度である掻込速度を所定条件に基づいて変更するコンバインにおいて、車体の前傾姿勢を検出する前傾検出手段（６１）を設け、制御部（５８）が、掻込制御時に前傾検出手段（６１）を介して車体の前傾姿勢が検出された場合には、圃場への車体進入時における刈取作業であると判断し、上記掻込速度を自動的に低下させるコンバイン。
【発明の詳細な説明】
【技術分野】
【０００１】
この発明は、車速に刈取部の駆動速度を連動させる車速連動制御を行うコンバインに関する。
【背景技術】
【０００２】
穀稈の刈取作業を行う刈取部への動力を変速する変速装置と、車速を検出する車速検出手段と、車速検出手段により検出された車速に刈取部の駆動速度を連動させる車速連動制御を行う制御部と、切換操作具とを備え、制御部が、切換操作具の操作に基づいて、前記車速連動制御と、車速に関係無く刈取部を一定速で駆動させる掻込制御との切換を行うコンバインが従来公知である。
【０００３】
このようなコンバインによれば、刈取部の駆動スピードを車速に連動させて、効率の良い刈取作業を行うことができる他、車体を停止させた状態から、圃場の穀稈の刈取作業を行う場合等、車速に関係無く刈取部を一定速で駆動させたい場合には、上記掻込制御を行うことにより対応可能であるため、利便性が高いというメリットがある。
【０００４】
ところで、路上から圃場内に車体を進入させる場合、穀稈の押倒しを防止するため、刈取作業を行いながら車体を圃場に進入させることが多い。この際、車体は略停止状態であるため、車体の圃場進入時に刈取部を駆動させる場合には、上記掻込制御を行うことが好ましいが、圃場進入時に効率良く刈取作業を行うために必要な刈取部の駆動速度は、圃場内で掻込制御を行う場合と比べて低速であり、従来公知のコンバインでは、この掻込作業時の刈取部の駆動速度である掻込速度を変更できないため、問題があった。
【０００５】
この問題を改善したものとして、掻込速度を所定条件に基づいて変更可能な特許文献１に示すコンバインが開発され、公知になっている。
【先行技術文献】
【特許文献】
【０００６】
【特許文献１】特開２００５−４０１０８号公報（第５頁、第９図）
【発明の概要】
【発明が解決しようとする課題】
【０００７】
しかし、上記文献のコンバインでは、オペレータのスイッチ操作によって掻込速度が変更されるものであり、圃場進入時に効率良く刈取作業を行うためには、掻込制御への切換操作と、掻込速度の減速操作とを同時に行う必要があり、操作が煩雑で、場合によってはオペレータが掻込速度の減速操作を行い忘れることもあり、課題が残る。
本発明は、上記課題を解決し、車速に刈取部の駆動速度を連動させる車速連動制御を行うコンバインにおいて、圃場進入時の刈取作業効率をオペレータの操作を煩雑化させること無く、良好に維持できるコンバインを提供することを課題とする。
【課題を解決するための手段】
【０００８】
上記目的を達成するため本発明のコンバインは、穀稈の刈取作業を行う刈取部４への動力を変速する変速装置４６と、車速を検出する車速検出手段３８と、車速検出手段３８により検出された車速に刈取部４の駆動速度を連動させる車速連動制御を行う制御部５８と、切換操作具６２とを備え、制御部５８が、切換操作具６２の操作に基づいて、前記車速連動制御と、車速に関係無く刈取部４を一定速で駆動させる掻込制御との切換を行うとともに、掻込制御時の刈取部４の駆動速度である掻込速度を所定条件に基づいて変更するコンバインにおいて、車体の前傾姿勢を検出する前傾検出手段６１を設け、制御部５８が、掻込制御時に前傾検出手段６１を介して車体の前傾姿勢が検出された場合には、圃場への車体進入時における刈取作業であると判断し、上記掻込速度を自動的に低下させることを特徴としている。
【発明の効果】
【０００９】
以上のように構成される本発明のコンバインによれば、掻込制御への切換を行った状態で車体を圃場に進入させる際、刈取部の駆動スピードが車速に対して速過ぎることに起因した刈取作業の質低下を抑制するために掻込速度を低下させるにあたり、制御部を介して掻込スピードが自動的に減速されるため、掻込速度の減速操作を行い忘れることによる圃場への車体進入時の刈取作業の質低下を防止できるという効果がある。
【図面の簡単な説明】
【００１０】
【図１】本発明を適用したコンバインの側面要部断面図である。
【図２】コンバインの前側の構成を示す要部平面図である。
【図３】本コンバインの動力伝動系統図である。
【図４】本コンバインに搭載されたマイコンのブロック図である。
【図５】（Ａ），（Ｂ）は、主変速レバーの要部背面図及び側面図である。
【図６】前処理部及びフィードチェーンの駆動速度制御をマイコンで行う際の車速と、前処理部及びフィードチェーンの駆動速度との関係を示した特性グラフである。
【図７】マイコンが行う前処理部及びフィードチェーンの駆動速度制御の処理フローである。
【発明を実施するための形態】
【００１１】
図１は、本発明を適用したコンバインの側面要部断面図であり、図２は、コンバインの前側の構成を示す要部平面図である。図示するコンバイン（車体）は、左右一対のクローラ式走行装置（走行部）１に支持された機体フレーム２が枠体をなす走行機体３と、走行機体３の前方に配置されて走行機体３に昇降駆動可能に連結された前処理部（刈取部）４とを備えており、走行部１を駆動させて車体を走行駆動させながら、前処理部４によって穀稈の刈取作業を行う。
【００１２】
前処理部４には、自身で刈取った穀稈を走行機体３側に搬送する搬送装置６が設けられている。
【００１３】
走行機体３は、機体フレーム２上の進行方向左（左）側に配設された脱穀装置７と、機体フレーム２上における脱穀装置７の右側方に配置されたグレンタンク８と、機体フレーム２上における脱穀装置７の右側方且つグレンタンク８の前方に設置された操縦部９と、を備えている。
【００１４】
前処理部４から走行機体３側に搬送されてくる穀稈は、フィードチェーン１１に渡され、該フィードチェーン１１によって脱穀装置７に沿って後方搬送される。この後方搬送過程で、穀稈は、脱穀装置７の扱胴１２等からなる脱穀部１３によって脱穀処理され、排藁になる。排藁は、排藁搬送体１４によって後方搬送され、そのまま又は切断処理されて走行機体３の後端部から機外に排出される。一方、脱穀部１３での処理物は、脱穀部１３から落下して、揺動選別体１６や唐箕ファン１７等よりなる脱穀部１３下方の選別部１８に導入される。選別部１８では、処理物が、藁屑等と、籾等の穀粒とに選別される。藁屑等は、走行機体３後端部から機外に排出され、穀粒等は上記グレンタンク８内に搬送収容される。
【００１５】
上記操縦部９は、オペレータが着座する座席１９と、座席１９の側方に配置された主変速レバー（走行レバー）２１と、座席１９の側方且つ主変速レバー２１の後方に配置された作業クラッチレバー２２及び刈取クラッチレバー２３とを備えている。
【００１６】
主変速レバー２１は、ニュートラル位置での左右揺動によって車体の前後進切換操作を行うとともに、前後揺動によって走行変速操作を行う。具体的には、ニュートラル位置から左右の一方側（図示する例では右側）に傾斜させた状態での前方揺動によって前進方向（進行方向）側への増速操作を行い、左右の他方側に傾斜した状態での後方揺動によって後進方向側への増速操作を行う。
【００１７】
作業クラッチレバー２２の前後揺動によって後述の作業クラッチ２４（図３参照）の断続操作を行い、刈取クラッチレバー２３の前後揺動によって後述の刈取クラッチ２６（図３参照）の断続操作を行う。
【００１８】
次に、図２及び３に基づき本コンバインの動力伝動構造について説明する。
図３は、本コンバインの動力伝動系統図である。走行機体３側に設置されたエンジン２７の出力軸２８には、出力軸２８と一体回転する走行プーリ２９及び作業プーリ３１が取付固定されている。
【００１９】
走行プーリ２９の動力は、走行伝動ベルト３２を介して、走行変速装置３３に入力される。走行変速装置３３に入力された動力は、油圧式無段階変速機である走行ＨＳＴ３４を介して、走行伝動機構３６に無段階で変速伝動され、走行伝動機構３６の動力は左右の走行部１，１の各ドライブシャフト３７，３７に変速伝動されて走行部１を駆動させる。
【００２０】
なお、走行ＨＳＴ３４の変速操作軸となるトラニオン軸（図示しない）と、上記主変速レバー２１とが連動しているため、上記主変速レバー２１の前後進切換操作によって走行ＨＳＴ３４を正逆転切換作動させ、主変速レバー２１の変速操作によって走行ＨＳＴ３４を無段階変速作動させる。すなわち、主変速レバー２１のニュートラル位置からの前後揺動角を検知可能なポテンショメータである後述の主変速レバーポテンショ（図４参照）３８が、車体の前後進状態と、車体の走行速度である車速とを間接的に検出する車速検出手段になる。ちなみに、上記主変速レバーポテンショ３８に代えて、走行伝動機構３６に設けられて走行ＨＳＴ３４からの動力を走行部１に向かって伝動する伝動軸３５の回転数を検出する回転センサ４０を設け、この回転センサ４０によって、車速を直接的に検出する車速検出手段を構成してもよい。
【００２１】
作業プーリ３１の動力は、作業伝動軸３９にベルト伝動され、この作業伝動軸３９の動力によって、前処理部４、フィードチェーン１１、脱穀部１３、選別部１８、及び排藁搬送体１４が駆動される。具体的には、作業プーリ３１と、作業伝動軸３９と一体回転する作業伝動プーリ４１とに掛け回された作業伝動ベルト４２によって、エンジン動力が作業伝動軸３９に伝動される。この作業伝動ベルト４２には、作業伝動ベルト４２のテンションを調整するテンションプーリから構成されて作業伝動軸３９へのエンジン動力の伝動を断続させる上述の作業クラッチ２４が設けられている。この作業クラッチ２４は、上記作業クラッチレバー２２に連係機構等を介して機械的に連結されている。
【００２２】
作業伝動軸３９の一方側は、平面視操縦部９の左斜め後方に設置された刈取ミッションケース４３内に動力伝動可能に挿入され、他方側には、この作業伝動軸２９と一体回転する脱穀側伝動プーリ４４が取付固定されている。この脱穀側伝動プーリ４４の動力によって、脱穀部１３、選別部１８及び排藁搬送体１４が駆動される。
【００２３】
刈取ミッションケース４３には、油圧式無段階変速機である刈取ＨＳＴ（変速装置）４６が取付固定される他、フィードチェーン１１側を駆動する左右方向のフィードチェーン駆動軸４７と、前処理部４に動力を伝動する左右方向の刈取伝動軸４８とが回転自在に支持されている。刈取ＨＳＴ４６の入力軸４６ａ及び出力軸４６ｂは刈取ミッションケース４３内に挿入され、刈取ＨＳＴ４６の変速操作軸となるトラニオン軸４６ｃは、刈取ミッションケース４３から上方に向かって軸回りに回動可能に突出している。
【００２４】
作業伝動軸３９の動力が上記入力軸４６ａにギヤ伝動され、この入力軸４６ａの動力が、刈取ＨＳＴ４６を介して、上記出力軸４６ｂに無段階で変速伝動される。そして、この出力軸４６ｂの動力は、フィードチェーン駆動軸４７と刈取伝動軸４８とに各別にギヤ伝動される。すなわち、刈取ＨＳＴ４６が、前処理部４及びフィードチェーン１１への動力を変速するように構成されている。
【００２５】
刈取伝動軸４８の動力は、刈取駆動軸４９にベルト伝動され、前処理部４を駆動させ、穀稈の刈取作業及び搬送作業を行う。具体的には、刈取伝動軸４８と一体回転する刈取伝動プーリ５１と、刈取駆動軸４９と一体回転する刈取駆動プーリ５２とに掛け回される刈取伝動ベルト５３によって、刈取駆動軸４９にエンジン動力が伝動される。この刈取伝動ベルト５３には、刈取伝動ベルト５３のテンションを調整するテンションプーリから構成されて前処理部４へのエンジン動力の伝動を断続させる上述の刈取クラッチ２６が設けられている。この刈取クラッチ２６は、刈取クラッチレバー２３に連係機構等を介して機械的に連結されている。
【００２６】
上記動力伝動構成により、作業クラッチ２４によって前処理部４、フィードチェーン１１、脱穀部１３及び選別部１８等へのエンジン動力の伝動を断続させ、刈取クラッチ２６によって前処理部４へのエンジン動力の伝動を断続させる。
【００２７】
また、刈取ＨＳＴ４６のトラニオン軸４６ｃは変速モータ５４の動力によって回動駆動され、このトラニオン軸４６ｃの回動によって前処理部４の駆動速度及びフィードチェーン１１の駆動速度が変更される。ちなみに、トラニオン軸４６ｃの回動角はポテンショメータである位置センサ５６によって検知可能であり、このラニオン軸４６ｃの回動角検知を介して前処理部４の駆動速度及びフィードチェーン１１の駆動速度が検出可能である。
【００２８】
すなわち、変速モータ５４によって、穀稈の刈取・搬送を行う際の前処理部４及びフィードチェーン１１の駆動速度を変更する駆動速度変更手段を構成するとともに、位置センサ５６によって、穀稈の刈取・搬送速度を行う際の前処理部４及びフィードチェーン１１の駆動速度を間接的に検出する駆動速度検出手段を構成している。
【００２９】
なお、刈取伝動軸４８には、この刈取伝動軸４８の回転数を検出する回転センサよりなる刈取部速度センサ５７が設置されており、この刈取部速度センサ５７によって前処理部４及びフィードチェーン１１の駆動速度を直接的に検出可能である。
【００３０】
次に、図４乃至７に基づき、変速モータ５４を介した前処理部４及びフィードチェーン１１の駆動速度手段について説明する。
図４は、本コンバインに搭載されたマイコンのブロック図であり、図５（Ａ），（Ｂ）は、主変速レバーの要部背面図及び側面図である。上記変速モータ５４を介した前処理部４及びフィードチェーン１１の駆動速度は、マイコン（制御部）５８によって、制御される。
【００３１】
マイコン５８の出力側には、変速モータ５４が接続される一方で、入力側には、上述の主変速レバーポテンショ３８、刈取部速度センサ５７及び位置センサ５６の他、刈取クラッチ２６の断続作動状態を入切により検出する刈取クラッチスイッチ５９と、車体（走行機体３）の前後傾斜を検出するジャイロ等により構成される前後傾斜センサ（前傾検出手段，前後傾斜検出手段）６１と、主変速レバー２１に設置される掻込スイッチ（切換操作具，掻込制御切換操作具）６２及び倒伏スイッチ（倒伏制御切換操作具）６３と、が接続されている。
【００３２】
掻込スイッチ６２は主変速レバー２１のグリップ２１ａの側部に設けられた押ボタン式のモーメンタリスイッチであり、倒伏スイッチ６３は主変速レバー２１のオペレータとの対向面側である背面側に配置された押ボタン式のオルタネイトスイッチである。
【００３３】
図６は、前処理部及びフィードチェーンの駆動速度制御をマイコンで行う際の車速と、前処理部及びフィードチェーンの駆動速度との関係を示した特性グラフである。マイコン５８は、主変速レバーポテンショ３８により検出された車速に、前処理部４及びフィードチェーン１１の駆動速度を連動させる車速連動制御を、変速モータ５４を介して行う。
【００３４】
車速連動制御について具体的に説明すると、車体の後進走行時及び車体の停止時には、前処理部４及びフィードチェーン１１の駆動を停止させ、車体の前進走行時には、車速の上昇に比例させて前処理部４及びフィードチェーン１１の駆動速度を上昇させる。
【００３５】
また、車速連動制御時に、オペレータが、切状態の倒伏スイッチ６３の押操作を行うと、倒伏スイッチ６３が入状態（ＯＮ状態）で保持され、車速上昇に対する前処理部４及びフィードチェーン１１の駆動速度上昇率を増加させて前処理部４及びフィードチェーン１１をより高速で駆動させる倒伏状態への切換がマイコン５８によって実行される。一方、オペレータが、入状態の倒伏スイッチ６３の押操作を行うと、倒伏スイッチ６３が切状態（ＯＦＦ状態）になり、車速上昇に対する前処理部４及びフィードチェーン１１の駆動速度上昇率を標準値に戻して前処理部４及びフィードチェーン１１を通常速で駆動させる通常状態への切換がマイコン５８によって実行される。
【００３６】
また、オペレータが掻込スイッチ６２の押操作を行うと、掻込スイッチ６２が入状態（ＯＮ状態）になり、上記車速連動制御から、車速に関係無く前処理部４及びフィードチェーン１１を一定速で駆動させる掻込制御への切換がマイコン５８を介して行われる。一方、オペレータが掻込スイッチ６２の押操作解除（切操作）を行うと、掻込スイッチ６２が切状態（ＯＦＦ状態）になり、該掻込制御から車速連動制御への切換がマイコン５８を介して行われる。ちなみに、掻込スイッチ６２が入操作されていても、車速が所定速度以上の場合には、掻込制御への切換は行われずに、車速連動制御が引続き実行されるが、詳細は後述する。
【００３７】
さらに、掻込制御時の前処理部４及びフィードチェーン１１の駆動速度である掻込速度は、後述する所定条件に基づき、マイコン５８を介して変更される。具体的には、掻込速度を、少なくとも低速と、該低速よりも高速な標準速との２段階で、切換可能になっている。
【００３８】
図７は、マイコンが行う前処理部及びフィードチェーンの駆動速度制御の処理フローである。マイコン５８は、処理が開始されると、ステップＳ１に進む。ステップＳ１では、主変速レバーポテンショ３８を介して車速の読込みを行い、ステップＳ２に進む。ステップＳ２では、位置センサ５６を介して前処理部４及びフィードチェーン１１の駆動速度の読込みを行い、ステップＳ３に進む。
【００３９】
ステップＳ３では、掻込スイッチ６２の入切状態検出を行い、掻込スイッチ６２が切状態であれば、ステップＳ４に進む。ステップＳ４では、倒伏スイッチ６３の入切状態検出を行い、倒伏スイッチ６３が切状態であればステップＳ５に進み、入状態であればステップＳ６に進む。ステップＳ５では、上記車速連動制御を通常状態で実行する制御モードにマイコン５８をセットして、ステップＳ７に進む。ステップＳ６では、上記車速連動制御を倒伏状態で実行する制御モードにマイコン５８をセットして、ステップＳ７に進む。
【００４０】
ステップＳ７では、マイコン５８が、前段階でセットされた制御モードに従い、変速モータ５４を介して、前処理部４及びフィードチェーン１１を所定速度で駆動させ、ステップＳ１に処理を戻す。
【００４１】
ステップＳ３において、掻込スイッチ６２が入状態であれば、ステップＳ８に進む。ステップＳ８では、前後傾斜センサ６１によって車体が前方に向かって下方傾斜した前傾状態か否かの検出を行い、車体が前傾状態であればステップＳ９に進み、前傾状態でない後傾斜状態又前後水平状態であればステップＳ１０に進む。
【００４２】
ステップＳ９では、上記掻込制御を低速で行う制御モードにマイコン５８をセットしてステップＳ１１に進む。ステップＳ１０では、上記掻込制御を標準速で行う制御モードにマイコン５８をセットしてステップＳ１１に進む。
【００４３】
ちなみに、車体の前傾状態で掻込制御を行うケースとして一番多く想定されるのが、圃場への車体進入時であり、この際には、後述する理由等により、圃場内での掻込制御時の掻込速度（標準速）よりも低速で前処理部４及びフィードチェーン１１を駆動させた方が、効率良く穀稈の刈取作業及び搬送作業を行うことが可能であるため、ステップＳ９においては上述の処理を行う。
【００４４】
すなわち、マイコン５８は、掻込制御時に前後傾斜センサ６１を介して車体の前傾姿勢が検出された場合には、圃場への車体進入時における刈取作業であると判断し、上記掻込速度を自動的に低下させる処理を行うように構成されている。
【００４５】
ステップＳ１１では、主変速レバーポテンショ３８によって、ステップＳ９又はステップＳ１０でセットした掻込速度が、車速連動制御を行った場合の前処理部４及びフィードチェーン１１の駆動速度と比較して低速であるか高速であるかの検出を行い、低速であればステップＳ７に進み、高速であればステップＳ４に進む。
【００４６】
ちなみに、ステップＳ１１において比較に用いる「掻込速度」は、ステップＳ９→ステップＳ１１と処理が進んだ場合には上述の低速になり、ステップＳ１０→ステップＳ１１と処理が進んだ場合には上述の標準速になる。これに対して、ステップＳ１１において比較に用いる「車速連動制御を行った場合の前処理部４及びフィードチェーン１１の駆動速度」とは、倒伏スイッチ６３が入状態の場合には、車速連動制御を倒伏状態で実行した場合の駆動速度になり、倒伏スイッチ６３が切状態の場合には、車速連動制御を通常状態で実行した場合の駆動速度になる。
【００４７】
続いて、圃場への車体進入時に、圃場内での掻込制御時の掻込速度よりも低速で前処理部４及びフィードチェーン１１を駆動させた方が、効率の良く穀稈の刈取作業及び搬送作業を行うことが可能な理由について以下に説明する。
【００４８】
通常、圃場内で掻込制御を行う目的は、車体停止状態で前処理部４を駆動させることにあり、これによって、車速連動制御時の車体停止によって前処理部４及びフィードチェーン１１の駆動が停止した場合に、刈取状態から搬送状態に完全に移行していない穀稈を、完全に搬送状態に移行させることが可能になる他、フィードチェーン１１によって脱穀装置７によって脱穀することも可能になる。以上により、車体走行再開時、完全に刈取状態から搬送状態に移行しきれていない穀稈が搬送装置６等から不測に落下することに起因した穀稈の刈取・搬送作業効率の低下が防止される。そして、穀稈の刈取状態から搬送状態への完全移行を効率良く行うためには、所定以上の掻込速度が要求される。
【００４９】
一方、車体の圃場進入時に、車速連動制御を行うと、主変速レバー２１のニュートラル範囲や、回転センサ４０における走行開始時から検出開始までのタイムラグ等により、前処理部４の駆動開始が車体の圃場進入開始に遅れ、前処理部４が殆ど停止したまま突っ込んで、圃場の穀稈を倒してしまう。これを防止し、車体の圃場進入開始と同時に前処理部４及びフィードチェーン１１を駆動させるべく、上記掻込制御を行うが、この際の車速は非常に低速であるため、掻込速度も、その車速に対応させて低速にする必要がある。以上により、圃場への車体進入時における掻込速度を、圃場内での掻込速度よりも低速に設定する必要がある。
【００５０】
また、上記目的から、前処理部４及びフィードチェーン１１の駆動速度が掻込速度を以上であれば、掻込制御を行う必要は無く、むしろこのような場合に掻込制御を行うと、車速に対して前処理部４及びフィードチェーン１１の駆動速度が不足して、穀稈の刈取作業及び搬送作業の効率が低下する。このような問題を改善すべく、上記ステップＳ１１の処理を行う。
【符号の説明】
【００５１】
４  前処理部（刈取部）
４６  刈取ＨＳＴ（変速装置，油圧式無段階変速機）
３８  主変速レバーポテンショ（車速検出手段）
４０  回転センサ（車速検出手段）
５８  マイコン（制御部）
６１  前後傾斜センサ（前傾検出手段，前後傾斜検出手段）
６２  掻込スイッチ（切換操作具，掻込制御切換操作具）
【図１】
2010233487.tif 000003
【図２】
2010233487.tif 000004
【図３】
2010233487.tif 000005
【図４】
2010233487.tif 000006
【図５】
2010233487.tif 000007
【図６】
2010233487.tif 000008
【図７】
2010233487.tif 000009